(57)【要約】【課題】汚染土壌浄化処理用の付加設備を省スペース化を図りながら既設のプラントにも簡単に増設できるようにした汚染土壌の浄化を可能としたアスファルトプラントを提供する。【解決手段】プラント本体３の運搬車出入用通路１７に跨がせて運搬車の進入可能な高さを有する高架台１６を設置する。該高架台１６に加熱浄化した土壌を受け入れて冷却する土壌冷却装置６と、該土壌冷却装置６から排出される土壌を貯留する土壌貯留ホッパ７を配設する。バケットエレベータ２の排出部に分岐シュート２を配設し、該分岐シュート２を介してドライヤ１にて加熱した土壌を土壌冷却装置６へと導く構成とする。上記構成によって既設のアスファルトプラントに汚染土壌浄化処理設備を省スペース化を図りながら簡単に増設できる。【選択図】  図１
2004154658.tif 000002
【特許請求の範囲】
【請求項１】
アスファルトプラントのプラント本体の運搬車出入用通路に跨がせて運搬車の進入可能な高さを有する高架台を設置し、該高架台に加熱浄化した土壌を受け入れて冷却する土壌冷却装置と、該土壌冷却装置から排出される土壌を貯留する土壌貯留ホッパを配設すると共に、ドライヤから排出される土壌を前記土壌冷却装置へと導く搬送手段を備えたことを特徴とする汚染土壌の浄化可能なアスファルトプラント。
【請求項２】
前記搬送手段として、ドライヤに連結したプラント本体への骨材移送用のバケットエレベータの排出部を分岐して土壌冷却装置へと土壌を導く分岐シュートを備えたことを特徴とする請求項１記載の汚染土壌の浄化可能なアスファルトプラント。
【発明の詳細な説明】
【０００１】
【発明の属する技術分野】
本発明は、道路舗装材であるアスファルト混合物を製造するアスファルトプラントに関し、特に、軽油、重油などの油分を含んだ汚染土壌も浄化処理可能としたアスファルトプラントに関する。
【０００２】
【従来の技術】
近年、産業活動に伴って各事業所の敷地内やその周辺地域の土壌が油などの揮発性汚染物質の廃液によって汚染され、その土壌の地下を流れる地下水にまで汚染が及んでいるといったことが取り沙汰されて問題となっている。このように油を含有する土壌を浄化処理するために、その土壌を掘削して汚染土壌の浄化処理プラントにて加熱処理し、土壌にしみ込んでいる揮発性汚染物質を揮発分離または燃焼分解させて土壌の浄化処理を行っている。
【０００３】
しかし、汚染土壌の浄化処理専用のプラントを新たに設置するとなると、環境面に配慮してそれなりの面積の敷地も確保しなければならないし、また装置コストも高額となり、経済的負担も大きい。そこで、本出願人は、汚染土壌を加熱浄化処理する装置としてアスファルト混合物製造用のアスファルトプラントの利用に着目した。アスファルトプラントの設置工場は環境に配慮したそれなりの敷地面積を有し、また土壌汚染を加熱浄化できそうな加熱装置等も設備されており、これらの設備を利用して汚染土壌の浄化可能なアスファルトプラントを構築すれば、少ない設備投資で汚染土壌の浄化処理が実現できると考え、この内容を本出願人は既に特許出願している（特願２００１−２７２８１４号）。
【０００４】
【発明が解決しようとする課題】
本出願人が既に特許出願している汚染土壌の浄化可能なアスファルトプラントでは、公知のアスファルトプラントの骨材加熱用ドライヤを汚染土壌の加熱浄化装置として兼用して利用するようにすると共に、土壌浄化処理に必要な新たな設備として加熱土壌を冷却する土壌冷却装置等を追加設備するようにしているが、アスファルトプラント工場の限られた敷地内で追加する設備をどのように配置すれば省スペース化を図れるか、また、既設のアスファルトプラントに対してどのように配置すれば簡単に増設可能となるかが解決すべき問題である。
【０００５】
本発明は上記の点に鑑み、汚染土壌浄化処理用の追加設備を省スペース化を図りながら既設のプラントにも簡単に増設できるようにした汚染土壌の浄化を可能としたアスファルトプラントを提供することを課題とする。
【０００６】
【課題を解決するための手段】
【０００７】
即ち、本発明の請求項１記載の汚染土壌の浄化可能なアスファルトプラントは、アスファルトプラントのプラント本体の運搬車出入用通路に跨がせて運搬車の進入可能な高さを有する高架台を設置し、該高架台に加熱浄化した土壌を受け入れて冷却する土壌冷却装置と、該土壌冷却装置から排出される土壌を貯留する土壌貯留ホッパを配設すると共に、ドライヤから排出される土壌を前記土壌冷却装置へと導く搬送手段を備えたことを特徴としている。
【０００８】
また、本発明の請求項２記載の汚染土壌の浄化可能なアスファルトプラントは、前記搬送手段として、ドライヤに連結したプラント本体への骨材移送用のバケットエレベータの排出部を分岐して土壌冷却装置へと土壌を導く分岐シュートを備えたことを特徴としている。
【０００９】
【発明の実施の形態】
本発明の請求項１記載の汚染土壌の浄化可能なアスファルトプラントによれば、プラント本体下位のアスファルト混合物輸送用運搬車が出入りする運搬車出入用通路に跨がせて運搬車の進入可能な高さを有する高架台を設置し、該高架台にドライヤにて加熱浄化した土壌を冷却する土壌冷却装置と、土壌冷却装置から排出される土壌を貯留する土壌貯留ホッパを配設する。このプラント本体の運搬車出入用通路は、本来、運搬車が出入りするための空きスペースとなっており、この空きスペースを有効利用することによって既設のプラントにも簡単に増設が行える。また、土壌冷却装置や土壌貯留ホッパを高架台にて運搬車の進入可能な高さまで持ち上げるので、地上面には邪魔になるものがなく省スペース化も図れると共に、浄化した土壌を運搬車で運び出すのも既存の運搬車出入用通路をそのまま利用することができて好都合である。
【００１０】
また、請求項２記載の汚染土壌の浄化可能なアスファルトプラントによれば、ドライヤにて加熱した土壌を骨材移送用のバケットエレベータを利用してプラント本体まで持ち上げ、バケットエレベータの排出部に配設した分岐シュートを介して土壌冷却装置へと土壌を導くので、アスファルトプラントの既存装置の有効利用が図れ、構造的にシンプルで、かつ低コストで汚染土壌の浄化を実現でき、既設のプラントを改造して簡単に増設が行うことができる。
【００１１】
【実施例】
以下、本発明の実施例を図面に基づいて説明する。
【００１２】
図４はアスファルトプラントに汚染土壌浄化処理設備を追加して汚染土壌の浄化も可能にしたアスファルトプラントの概要図である。図４において、公知のアスファルトプラントとして本来備えている主な装置は、骨材を加熱するドライヤ１、加熱した骨材を持ち上げるバケットエレベータ２、篩い分け・貯蔵・計量・混合機能を備えたプラント本体３、ドライヤ１に供給する骨材を貯蔵する骨材貯蔵ホッパ４、ドライヤ１にて骨材加熱時に発生するダストを捕捉する集塵機５等である。
【００１３】
汚染土壌を浄化処理するのにアスファルトプラントに追加した主な設備は、ドライヤ１にて加熱した高温の土壌を取り扱い易い温度まで低下させる土壌冷却装置６、土壌冷却装置６から排出される土壌を一時貯留する土壌貯留ホッパ７、汚染土壌加熱浄化時にドライヤ１から飛散した揮発性油分を燃焼除去する脱臭炉８、ドライヤ１に供給する汚染土壌を貯蔵する汚染土壌貯蔵ホッパ９等である。
【００１４】
前記土壌冷却装置６は、内周部に多数の掻き上げ羽根（図示せず）を周設した円筒状のドラム１０を機台１１上に回転自在に傾斜支持し、駆動装置（図示せず）により所定の速度で回転させるようにしている。また、ドラム１０の一端部の投入ホッパ１２には水噴霧ノズル１３を配設し、水槽１４内に貯留した水をポンプ１５にて吸い上げて水噴射ノズル１３よりドラム１０内に噴霧するようにしている。
【００１５】
土壌冷却装置６は高架台１６上に搭載され、土壌冷却装置６の下位には冷却した土壌を受け止める土壌貯留ホッパ７が据え付けられる。土壌冷却装置６を搭載した高架台は、図１乃至図３に示すように、プラント本体３から払い出すアスファルト混合物を受け取るために運搬車が出入りする運搬車出入用通路１７に跨がせて設置される。高架台１６は運搬車の進入可能な高さを有するものとし、土壌貯留ホッパ７下位に運搬車が進入して払い出される土壌を運搬車にて受け取れるようにしている。
【００１６】
ドライヤ１はアスファルト混合物の素材である骨材、或いは汚染土壌を加熱する兼用の加熱装置として使用される。このため、汚染土壌加熱時には加熱した土壌が土壌冷却装置６側に供給できるように、バケットエレベータ２の排出シュート１８に分岐シュート１９を配設し、その先端部を土壌冷却装置６の投入ホッパ１２側に連結している。そして搬送物を土壌冷却装置６側、或いはプラント本体３側のいづれかに振り分ける経路変更手段である経路変更用ダンパー２０の切り換え操作によってアスファルト混合物製造時には加熱骨材をプラント本体３側に、土壌浄化処理時には加熱土壌を分岐シュート１９側に流すようにしている。
【００１７】
なお、経路変更手段として経路変更用ダンパー２０を使用したが、何らこれに限定するものでなく、要は、バケットエレベータ２から排出される骨材または土壌をプラント本体３側または分岐シュート１９側に振り分けるものであれば良いことは勿論である。また、バケットエレベータ２を利用して土壌を土壌冷却装置６に供給するようにしているが、ドライヤ１の排出側付近に経路変更手段を配設し、ドライヤ１から排出された土壌がバケットエレベータ２を介さずに適宜の搬送手段によって土壌冷却装置６に土壌を直接供給するようにしても良い。
【００１８】
図４中の脱臭炉８は、バーナ２１によって排ガス中に含まれる油などの揮発性汚染物質を燃焼分解してから煙突２２より排気するもので、排ガス熱を有効利用するために熱交換器２３、２４を配設してある。熱交換器２３はドライヤ１から脱臭炉８へ導入する排ガスの予熱を、また熱交換器２４は燃焼用空気供給ファン２５から脱臭炉８のバーナへ供給する燃焼用空気の予熱を図っている。２６はドライヤ１の排気を行うメインファンである。なお、脱臭炉８は汚染土壌加熱時には必要だが、骨材加熱時には不要であるので、このときには排ガスをバイパス回路２７によって脱臭炉８を経由しないで煙突２２へ直接流すようにすると好ましい。
【００１９】
脱臭炉８の配置場所は、図１乃至図３中には記載していないが、これは図示していないがアスファルトプラントにはアスファルト舗装廃材加熱用のドライヤが併設されることも多く、この廃材加熱用のドライヤが設置されている場合には排ガス中の臭気を燃焼処理する脱臭炉も設置されていることもあるからであり、その既設の脱臭炉を利用することができるからである。また、新たに脱臭炉８を設置する場合には、廃材加熱用のドライヤの排ガスも処理することも考慮されるので、そのドライヤの近辺に設置されるなど、空きスペースの適宜の場所に設置される。
【００２０】
しかして、上記構成としたアスファルトプラントにおいては、アスファルト混合物を製造していないときに汚染土壌を浄化処理する。汚染土壌を浄化処理するときには、汚染土壌貯蔵ホッパ９から汚染土壌をベルトコンベヤを介してドライヤ１に投入し、バーナからの熱風に晒して汚染土壌を所定温度まで加熱する。この加熱によって汚染土壌中の揮発性汚染物質は、揮発分離または燃焼分解させられる一方、ドライヤ１内を通過するガス流に乗って土壌中の揮発性汚染物質を多く含む微粒分がドライヤ１下流へと飛散し、汚染土壌中の汚染物質が減少して浄化される。
【００２１】
そして、ドライヤ１から導出される排ガスは集塵機５へと導かれ、汚染物質を多く含む微細分が捕捉される。そして集塵機５を通過した排ガスは、脱臭炉８へと導かれて炉内の高温雰囲気に晒され、排ガス中に残る揮発性汚染物質が完全に燃焼分解される。
【００２２】
一方、ドライヤ１内の土壌は、バケットエレベータ２を介してプラント本体３上位まで持ち上げられ、排出シュート１８から排出されていく。このとき、経路変更用ダンパー２０は図１中の二点鎖線位置へ回動させており、排出シュート１８を流下する土壌は分岐シュート１９側へと落下し、土壌冷却装置６へと投入される。そして、土壌冷却装置６に投入された土壌は、掻き上げ羽根によって掻き上げながら転動流下する間に、水噴霧ノズル１３より水を噴霧され、適当に湿潤・冷却されて取り扱いに適した状態となって土壌貯留ホッパ７に一時貯留される。貯留された土壌は運搬車出入用通路１７より進入する運搬車に積み込みされて所定の場所へと搬送される。
【００２３】
上記のように、アスファルトプラントの運搬車出入用通路１７に跨がせて運搬車の進入可能な高さを有する高架台１６を設置し、該高架台１６に土壌冷却装置６と土壌貯留ホッパ７を配設するので、本来、運搬車が出入りするための空きスペースとなっていた運搬車出入用通路１７周りの空きスペースを有効利用することによって既設のプラントにも簡単に増設が行える。また、高架台１６にて持ち上げていて地上面に邪魔になるものがなくて省スペース化も図れると共に、運搬車に土壌を払い出すのも既存の運搬車出入用通路１７をそのまま利用できて好都合である。
【００２４】
また、プラント本体３への骨材移送用のバケットエレベータ２の排出シュート１８に配設した分岐シュート１９を運搬車出入用通路１７に跨がせて設置した高架台１６上の土壌冷却装置６へと連結したので、アスファルトプラントの既存装置の有効利用が図れ、分岐シュート１９長さも極力短縮されて無理なく配置され、構造的にシンプルで、かつ低コストで汚染土壌の浄化を実現でき、既設のプラントを改造して簡単に増設が行える。
【００２５】
なお、上記実施例では、土壌冷却装置６としてロータリーキリン方式のものを採用したが、何らこれに限定するものではなく、例えば、連続式ミキサのような混合機を採用し、連続的に供給される土壌に水を添加しながら混合し、土壌温度を低下させて取り扱いに適した土壌を得るようにしても良い。
【００２６】
また、土壌を加熱浄化する加熱装置として骨材加熱用のドライヤを使用したが、アスファルト舗装廃材加熱用のドライヤを使用しても良いことは勿論である。
【００２７】
【発明の効果】
以上のように本発明の請求項１記載の汚染土壌の浄化可能なアスファルトプラントは、アスファルトプラントのプラント本体の運搬車出入用通路に跨がせて運搬車の進入可能な高さを有する高架台を設置し、該高架台に加熱浄化した土壌を受け入れて冷却する土壌冷却装置と、該土壌冷却装置から排出される土壌を貯留する土壌貯留ホッパを配設すると共に、ドライヤから排出される土壌を前記土壌冷却装置へと導く搬送手段を備えたので、アスファルトプラント工場で本来空きスペースとなっているプラント本体の運搬車出入用通路周りのスペースを有効利用することができて既設のプラントにも簡単に増設が行える。また、土壌冷却装置を高架台にて持ち上げているので地上面では邪魔になるものがなくて省スペース化も図れると共に、運搬車に土壌を払い出すのも既存の運搬車出入用通路をそのまま利用して行うことができて好都合である。
【００２８】
また、請求項２記載の汚染土壌の浄化可能なアスファルトプラントは、前記搬送手段として、ドライヤに連結したプラント本体への骨材移送用のバケットエレベータの排出シュートを分岐して土壌冷却装置へと土壌を導く分岐シュートを備えたので、アスファルトプラントの既存装置の有効利用が図れ、構造的にシンプルで、かつ低コストで汚染土壌の浄化を実現でき、既設のプラントを改造して簡単に増設が行える。
【図面の簡単な説明】
【図１】本発明に係る汚染土壌の浄化可能なアスファルトプラントの一実施例を示す概略正面図である。
【図２】図１の左側面図である。
【図３】図１の平面図である。
【図４】本発明に係る汚染土壌の浄化可能なアスファルトプラントの概容を説明する図である。
【符号の説明】
１…ドライヤ                    ２…バケットエレベータ
３…プラント本体                ４…骨材貯蔵ホッパ
５…集塵機                      ６…土壌冷却装置
７…土壌貯留ホッパ              ８…脱臭炉
９…汚染土壌貯蔵ホッパ        １６…高架台
１８…排出シュート              １９…分岐シュート
２０…経路変更用ダンパー（経路変更手段）
【図１】
2004154658.tif 000003
【図２】
2004154658.tif 000004
【図３】
2004154658.tif 000005
【図４】
2004154658.tif 000006